(57)【要約】【課題】企業ごとのファッション傾向に基づいてファッション製品を推薦すること。【解決手段】  ファッション推薦サーバは、特定団体の構成員のファッション傾向に関するファッション情報を特定団体ごとに記憶する記憶部と、構成員からのファッション製品に関する入力情報を取得する入力情報取得部と、入力情報を入力した構成員の所属する特定団体のファッション情報に基づいて、入力情報に応じたファッション製品を推薦するファッション製品推薦部と、を備える。【選択図】図２
2020181278.tif 000002
【特許請求の範囲】
【請求項１】
特定団体の構成員のファッション傾向に関するファッション情報を前記特定団体ごとに記憶する記憶部と、
前記構成員からのファッション製品に関する入力情報を取得する入力情報取得部と、
前記入力情報を入力した構成員の所属する特定団体の前記ファッション情報に基づいて、前記入力情報に応じたファッション製品を推薦するファッション製品推薦部と、
を備えるファッション推薦サーバ。
【請求項２】
前記入力情報は、前記ファッション製品の注文であり、
前記入力情報取得部は、前記特定団体ごとに、当該特定団体の構成員からの前記ファッション製品の注文を集計した注文情報を取得し、
前記推薦されたファッション製品の発送を、前記特定団体ごとに管理する発送管理部と、をさらに備える請求項１に記載のファッション推薦サーバ。
【請求項３】
前記特定団体に所属する構成員に対するファッションに関するアンケートに基づいて、当該特定団体のファッション傾向を推定する傾向推定部をさらに備え、
前記記憶部は、前記推定されたファッション傾向に関するファッション情報を記憶する、請求項２に記載のファッション推薦サーバ。
【請求項４】
前記傾向推定部は、特定団体に所属する構成員の注文履歴に基づいて、当該特定団体のファッション傾向を推定する、請求項３に記載のファッション推薦サーバ。
【請求項５】
前記傾向推定部は、特定団体に所属する構成員の姿を撮影した画像に基づいて、当該特定団体のファッション傾向を推定する、請求項３または請求項４に記載のファッション推薦サーバ。
【請求項６】
特定団体において集計された注文情報を、当該特定団体に所属する構成員に提示する注文ファッション提示部と、
当該構成員から、前記注文ファッション提示部が提示したファッション製品に対する評価を受け付ける評価受付部と、を備える請求項３から請求項５のいずれか一項に記載のファッション推薦サーバ。
【請求項７】
前記傾向推定部は、前記評価受付部が受け付けた構成員からの評価に基づいて、当該構成員が所属する特定団体のファッション傾向を推定する、請求項６に記載のファッション推薦サーバ。
【請求項８】
前記ファッション傾向は、各特定団体におけるドレスコードを含む、請求項２から請求項７のいずれか一項に記載のファッション推薦サーバ。
【請求項９】
前記ファッション製品の注文をした構成員に対し、前記推薦されたファッション製品を提示する推薦ファッション提示部をさらに備え、
前記発送管理部は、前記推薦ファッション提示部の提示に応じて選択されたファッション製品に基づいて、前記発送するファッション製品を決定する、請求項８に記載のファッション推薦サーバ。
【請求項１０】
前記推薦ファッション提示部は、前記ドレスコードに関する情報を付して前記提示を行う、請求項９に記載のファッション推薦サーバ。
【請求項１１】
前記推薦ファッション提示部は、前記ドレスコードに適さないファッション製品を除外して前記提示を行う、請求項９に記載のファッション推薦サーバ。
【請求項１２】
特定団体の構成員のファッション傾向に関するファッション情報を前記特定団体ごとに記憶する記憶部と、
前記構成員からのファッション製品に関する入力情報を取得する入力情報取得部と、
前記入力情報を入力した構成員の所属する特定団体の前記ファッション情報に基づいて、前記入力情報に応じたファッション製品を推薦するファッション製品推薦部と、
を備えるファッション推薦システム。
【請求項１３】
特定団体の構成員のファッション傾向に関するファッション情報を前記特定団体ごとに記憶するステップと、
前記構成員からのファッション製品に関する入力情報を取得するステップと、
前記入力情報を入力した構成員の所属する特定団体の前記ファッション情報に基づいて、前記入力情報に応じたファッション製品を推薦するステップと、
を備えるファッション推薦方法。
【請求項１４】
請求項１３に記載のファッション推薦方法をコンピュータに実行させるためのファッション推薦プログラム。
【発明の詳細な説明】
【技術分野】
【０００１】
本開示は、特定団体ごとのファッション傾向に基づいてファッション製品を推薦するファッション推薦サーバ、ファッション推薦システム、ファッション推薦方法およびファッション推薦プログラムに関する。
【背景技術】
【０００２】
近年、Ｗｅｂサイトで衣類を個人向けに通信販売するサービスが普及している。例えば、特許文献１には、ユーザの好みに適した衣類を推薦し、ユーザの手元に直接届けるシステムについて開示されている。
【先行技術文献】
【特許文献】
【０００３】
【特許文献１】特開２０１６−１８４００号公報
【発明の概要】
【発明が解決しようとする課題】
【０００４】
昨今、私服通勤を推奨し、従業員がファッションを楽しむことができる職場が増えてきている。しかしながら、職場・職種によってカジュアル度合いが異なるため、特許文献１に記載されるシステムのように、ユーザの好みに適した衣類が推薦されても、通勤には着用できない場合があるという課題があった。
【０００５】
そこで、本開示は、上記課題を解決すべくなされたものであって、その目的は、特定団体ごとのファッション傾向に基づいてファッション製品を推薦するファッション推薦サーバ、ファッション推薦システム、ファッション推薦方法およびファッション推薦プログラムを提供することである。
【課題を解決するための手段】
【０００６】
上記目的を達成するため、本開示の第１の観点に係るファッション推薦サーバは、特定団体の構成員のファッション傾向に関するファッション情報を特定団体ごとに記憶する記憶部と、構成員からのファッション製品に関する入力情報を取得する入力情報取得部と、入力情報を入力した構成員の所属する特定団体のファッション情報に基づいて、入力情報に応じたファッション製品を推薦するファッション製品推薦部と、を備える。
【０００７】
また、上記目的を達成するため、本開示の第２の観点に係るファッション推薦システムは、特定団体の構成員のファッション傾向に関するファッション情報を特定団体ごとに記憶する記憶部と、構成員からのファッション製品に関する入力情報を取得する入力情報取得部と、入力情報を入力した構成員の所属する特定団体のファッション情報に基づいて、入力情報に応じたファッション製品を推薦するファッション製品推薦部と、を備える。
【０００８】
また、上記目的を達成するため、本開示の第３の観点に係るファッション推薦方法は、特定団体の構成員のファッション傾向に関するファッション情報を特定団体ごとに記憶するステップと、構成員からのファッション製品に関する入力情報を取得するステップと、入力情報を入力した構成員の所属する特定団体のファッション情報に基づいて、入力情報に応じたファッション製品を推薦するステップと、を備える。
【０００９】
また、上記目的を達成するため、本開示の第４の観点に係るファッション推薦プログラムは、上述のファッション推薦方法をコンピュータに実行させる。
【発明の効果】
【００１０】
本開示によれば、特定団体ごとのファッション傾向に基づいてファッション製品を推薦することができる。
【図面の簡単な説明】
【００１１】
【図１】本実施形態に係る衣類推薦システム１の構成図である。
【図２】衣類推薦サーバ１０の機能構成の一例を示すブロック図である。
【図３】服飾情報ＤＢ１２１の一例を示す図である。
【図４】従業員情報ＤＢ１２２の一例を示す図である。
【図５】アンケートの画面例を示す図である。
【図６】会社Ａに所属する従業員の注文情報の画面例を示す図である。
【図７】会社Ａに所属する従業員の注文情報の画面例を示す図である。
【図８】推薦された衣類の画面例を示す図である。
【図９】従業員端末３０の機能構成の一例を示す機能ブロック図である。
【図１０】衣類推薦システム１の処理の流れを示すシーケンス図である。
【図１１】衣類推薦サーバ１０のハードウェア構成を示すブロック図である。
【発明を実施するための形態】
【００１２】
以下、本開示の実施形態について図面を参照して説明する。実施形態を説明する全図において、共通の構成要素には同一の符号を付し、繰り返しの説明を省略する。なお、以下に説明する実施形態は、特許請求の範囲に記載された本開示の内容を不当に限定するものではない。また、実施形態に示される構成要素のすべてが、本開示の必須の構成要素であるとは限らない。
【００１３】
＜実施形態＞
（実施形態の概要）
本実施形態に係るシステムは、特定団体（企業など）ごとのファッション傾向に基づいてファッション製品（衣類など）を推薦する。昨今、私服通勤を推奨し、特定団体の構成員（従業員など）がファッションを楽しむことができる職場が増えてきている。しかしながら、職場・職種によってカジュアル度合いが異なるため、ユーザの好みに適したファッション製品が推薦されても、職場の雰囲気にそぐわないなど、推薦されたファッション製品が楽しめないことがあった。
【００１４】
そこで、本実施形態では、特定団体の構成員からのファッション製品に関する注文等の入力情報を受け付け、当該特定団体の構成員のファッション傾向（よく着用する服装や、ドレスコードなど）に関するファッション情報に基づいて、入力情報に適したファッション製品を推薦する。これにより、ユーザ（構成員）は、ユーザの好みだけでなく、企業ごとのファッション傾向にも適したファッション製品が推薦されるため、プライベート・通勤の両方で、推薦されたファッション製品を楽しむことができる。
【００１５】
また、近年、Ｗｅｂサイトを利用した個人向け通信販売であって、ユーザの好みに適したファッション製品をユーザの手元に直接届けるサービスが提供されている。しかしながら、当該サービスのように、ユーザの手元に直接配達すると、販売側にとっては輸送コストが個別に発生し、収益を圧迫する。また、ユーザ側にとっては、配達物の受け取りのために在宅するなど、予定を調整しなければならない煩わしさがある。
【００１６】
そこで、本実施形態では、上述のように、構成員からの注文等の入力情報に応じて推薦したファッション製品の発送を、団体単位で行う。これにより、販売側は、ファッション製品の発送を団体（職場）単位で行うため、ユーザからの注文に対し個別に発送するよりも輸送コストを削減することができる。また、ユーザは、日中過ごす事が多い職場に推薦されたファッション製品が配達されるため、製品を確実に受け取ることができ、予定を調整しなければいけない煩わしさがなくなる。
【００１７】
なお、本実施形態に係る「特定団体」は、共通の目的を有する複数の構成員から成る集合体のことをいう。「特定団体」は、例えば、企業、官公庁、部活、サークル等であり、以下では、一例として「企業」の場合について説明する。
【００１８】
また、本実施形態に係る「ファッション製品」は、身体に着用するもののことであって、例えば、衣類や、靴、ベルト、眼鏡、ピアス、ネックレス、指輪、スカーフ、帽子等の小物等である。また、「ファッション製品」は、ユーザが日常的に携帯するものを含んでもよい。例えば、スマートフォンやタブレット、ＰＣ、ウェアラブル端末などの携帯情報端末や、文房具、財布、カバン、水筒などであってもよい。以下では、一例として「衣類」の場合について説明する。
【００１９】
（衣類推薦システム１の構成）
図１は、本実施形態に係る衣類推薦システム１の構成図である。図１を参照して、衣類推薦システム１の構成について説明する。
【００２０】
図１において、衣類推薦システム１は、ファッション推薦システムに相当し、衣類推薦サーバ１０と、注文サーバ２０と、従業員端末３０−１，３０−２，…，３０−Ｎ（Ｎは自然数。また、特に区別する必要がない限り、従業員端末３０と記載する。）と、を備え、インターネット等のネットワークＮＷを介して通信可能に接続される。
【００２１】
衣類推薦サーバ１０は、ファッション推薦サーバに相当し、企業ごとに発注された注文情報に適した衣類を推薦する機能と、衣類の発送を企業ごとに管理する機能とを有する。衣類推薦サーバ１０は、企業ごとのファッション傾向に関する服飾情報（後述）を記憶し、衣類の注文情報を発注した企業ごとの服飾情報に基づいて、その企業の従業員として相応しい衣類を推薦する。また、衣類推薦サーバ１０において推薦された衣類は、企業ごとに発送が管理される。企業ごとに発送管理された衣類に関する情報は、例えば、衣類を保管する倉庫の管理者端末（図１において不図示）に送信される。そして、当該情報に基づいて、発送する衣類がパッケージされ、企業単位で衣類が配送される。
【００２２】
注文サーバ２０は、従業員端末３０から送信された衣類の注文を、当該従業員端末３０を保有するユーザ（従業員）が所属する企業ごとに集計し、集計した注文情報を衣類推薦サーバ１０に送信する。なお、図１において、注文サーバ２０は１台のみ記載されているが、企業ごとに当該企業に所属する従業員からの注文を受け付けるサーバ装置を備えていてもよい。すなわち、衣類推薦システム１において、各企業に備えられた注文サーバ２０が、当該企業に所属する従業員からの衣類の注文を集計し、衣類推薦サーバ１０に注文情報を送信する構成としてもよい。また、衣類推薦サーバ１０に注文サーバ２０の機能を備えさせてもよい。
【００２３】
従業員端末３０は、従業員が保有する情報処理端末であって、例えば、スマートフォンやタブレット端末、スマートウォッチ、ヘッドマウントディスプレイ、パーソナルコンピュータ等によって実現される。なお、本実施形態では、「従業員」とは、衣類推薦システム１において、衣類推薦サーバ１０に衣類の注文を発注する各企業に所属する者のことをいう。従業員端末３０には、たとえば、衣類推薦システム１において衣類の提供を受けるためのプログラム（例えば、スマートフォン専用のアプリ）がインストールされる。
【００２４】
（衣類推薦サーバ１０の機能構成）
図２は、衣類推薦サーバ１０の機能構成の一例を示すブロック図である。図２を参照して、衣類推薦サーバ１０の機能構成について説明する。
【００２５】
衣類推薦サーバ１０は、通信部１１０と、記憶部１２０と、制御部１３０とを有する。なお、衣類推薦サーバ１０は、衣類推薦サーバ１０を利用する管理者等から各種操作を受け付ける入力部（例えば、キーボードやマウス等）や、各種情報を表示するための表示部（例えば、ディスプレイ等）を有してもよい。
【００２６】
通信部１１０は、ネットワークＮＷに接続された注文サーバ２０等と通信を行うための各種制御を行うものであり、その機能は、各種プロセッサ、または通信用ＡＳＩＣ（Application Specific Integrated Circuit）などのハードウェアや、プログラム等により実現できる。
【００２７】
記憶部１２０は、コンピュータを機能させるためのプログラムや各種データを記憶するための記憶装置であって、例えば、ＲＡＭ、フラッシュメモリ等の半導体メモリ素子、または、ハードディスク、光ディスク等によって実現される。記憶部１２０は、服飾情報ＤＢ（データベース）１２１と、従業員情報ＤＢ１２２と、を有する。
【００２８】
服飾情報ＤＢ１２１は、従業員のファッション傾向に関する服飾情報（ファッション情報に相当。）を企業ごとに記憶するデータベースである。私服通勤（オフィスカジュアル）を推奨する企業が増えているが、職場・職種によってカジュアル度合いが異なるため、どのような私服であればオフィスでも着用できるのか判断に迷う従業員が多い。そこで、本実施形態に係る衣類推薦サーバ１０では、企業ごとに、従業員のファッション傾向に関する服飾情報を記憶し、服飾情報に基づいて、従業員が所属している企業に相応しい衣類を推薦する（詳細については後述する）。なお、「従業員のファッション傾向」とは、従業員が好む洋服やアクセサリーなどのファッションアイテムに関する情報であり、各企業におけるドレスコード（服装規定）を含む。また、従業員が好む髪型や芸能人、企業の年齢構成や役職構成、所在地に関する情報など、企業や従業員の属性に関する情報を含んでもよい。ここで、「ドレスコード」とは、例えば、会社ＡではポロシャツはＮＧ（着用不可）、また、会社Ｂではジーンズは着用してもよいが、穴あきなどのダメージ加工したものはＮＧなど、各企業（職場）において着用するのにふさわしくない服装などを規定するものをいう。
【００２９】
なお、各企業の服飾情報は、後述する傾向推定部１３４によって推定されたファッション傾向に基づいて服飾情報ＤＢ１２１に記憶されてもよいし、各企業によって予め登録されてもよい。
【００３０】
従業員情報ＤＢ１２２は、衣類推薦システム１を利用する企業の従業員ごとのファッションの好み等を記憶するデータベースである。例えば、従業員が予め好みのファッションを登録しておいてもよいし、衣類推薦システム１における従業員の注文履歴や、従業員が利用する他のファッション販売サイト等における購入履歴が登録されるようにしてもよい。これらの履歴から公知の技術によって従業員のファッションの好みを推定することができる。
【００３１】
また、従業員情報ＤＢ１２２には、従業員のファッションの好みだけでなく、従業員の所属部門、職位、年収等が登録されてもよい。一般的に、これらの違いにより、オフィスにおける接客の機会などが異なり、相応しい服装の基準が変わってくるからである。
【００３２】
図３は、服飾情報ＤＢ１２１の一例を示す図である。図３に示すように、企業ごとに、ファッション傾向などがタイプ別に関連付けられている。なお、図３に示す服飾情報ＤＢ１２１は、一例であり、これらに限られない。
【００３３】
「タイプ」欄には、ファッション傾向として、それぞれタイプ１，２，３…が示されている。タイプは、例えば、「カジュアル系」、「モード系」、「フォーマル系」などの具体的なファッションタイプが示される。なお、ファッションタイプの名称は、スタイリスト等によって名付けられるものであって、タイプの名称はこれらに限られない。
【００３４】
「衣類」欄には、従業員がよく着用する衣類として、それぞれ衣類１，２，３…が示されている。衣類は、例えば、「ポロシャツ」、「パーカー」、「チノパンツ」、「デニムパンツ」、「カーゴパンツ」などの洋服、小物などのファッションアイテム、よく着用する衣類の色、無地、ボーダー柄、Ｖネックなどのデザインであってもよい。
【００３５】
また、「ＮＧ」欄には、ドレスコードとして、それぞれ基準１，２，３…が示されている。基準は、例えば、「スニーカー、ジーンズ」など、着用不可の衣類が具体的に表示されていたり、「ノースリーブ」、「ショート丈（膝上７センチ以上）」など、好ましくない肌の露出の程度、「レオパード柄」、「ダメージ加工」など好ましくない柄、デザインや加工が表示されていたりしてもよい。
【００３６】
図４は、従業員情報ＤＢ１２２の一例を示す図である。図４に示すように、従業員ごとに、従業員が所属する企業、所属部門、好みの衣類などが関連付けられている。なお、図４に示す従業員情報ＤＢ１２２は、一例であり、これらに限られない。
【００３７】
「企業」欄には、従業員が所属する企業名として、それぞれ会社Ａ，Ｂ…が示されている。例えば、衣類推薦システム１を、福利厚生の一つとして利用し、従業員に衣類の提供を行っている企業名であってよい。
【００３８】
「部門」欄には、従業員が所属している具体的な部門名であってもよいし、外勤や内勤などの勤務形態であってもよい。職位や年収であってもよい。
【００３９】
「好みの衣類」欄には、「パーカー」，「ニット」などの衣類、「タートルネック」，「黒」などのデザインや色であってもよい。また、従業員情報ＤＢ１２２には、衣類推薦システム１における従業員の注文履歴や、他のファッション販売サイトの購入履歴などが含まれていてもよい。
【００４０】
図２に戻って、制御部１３０について説明する。制御部１３０は、例えば、コントローラ（controller）であり、ＣＰＵ（Central Processing Unit）やＭＰＵ（Micro Processing Unit）等によって、衣類推薦サーバ１０の記憶部１２０に記憶されている各種プログラム（衣類推薦プログラムに相当。）がＲＡＭ（Random Access Memory)を作業領域として実行されることにより実現される。また、制御部１３０は、例えば、ＡＳＩＣ（Application Specific Integrated Circuit）やＦＰＧＡ（Field Programmable Gate Array）等の集積回路により実現されてもよい。
【００４１】
制御部１３０は、注文情報取得部１３１と、衣類推薦部１３２と、提示部１３３と、傾向推定部１３４と、評価受付部１３５と、配送管理部１３６と、を有する。なお、制御部１３０の内部構成は、図２に示した構成に限られず、後述する情報処理を行う構成であれば他の構成であってもよい。
【００４２】
注文情報取得部１３１は、入力情報取得部に相当し、注文サーバ２０から、従業員の注文を集計した注文情報を取得する。取得した注文情報は、企業ごとに服飾情報ＤＢ１２１に格納される。また、従業員ごとに、従業員情報ＤＢ１２２に格納される。なお、従業員からの衣類の注文は、好みのデザインや色、衣類のカテゴリ（カットソーやパンツなど）を指定したものであってもよいし、単に衣類の数量などを指定したものであってもよい。
【００４３】
衣類推薦部１３２は、ファッション製品推薦部に相当し、注文情報取得部１３１が取得した注文情報を発注した企業の服飾情報に基づいて、注文情報に応じた衣類を推薦する。例えば、衣類推薦部１３２は、服飾情報ＤＢ１２１から、注文情報を発注した企業の服飾情報を取得する。また、従業員情報ＤＢ１２２から、注文情報に含まれる従業員の好みなどを取得する。そして、従業員の好みと、企業のファッション傾向に関する服飾情報とから、所属する企業の雰囲気に相応しい衣類を推薦する。
【００４４】
提示部１３３は、注文ファッション提示部や推薦ファッション提示部に相当し、従業員端末３０を保有する従業員が所属する企業から発注された注文情報、衣類推薦部１３２が推薦した衣類などを提示する。また、提示部１３３は、従業員端末３０に対し、ファッションに関するアンケートを提示する。
【００４５】
図５は、アンケートの画面例を示す図である。図５において、従業員端末３０の（タッチパネル）ディスプレイ３００には、複数の画像３１０が表示されている。各画像３１０は、異なるファッションアイテムを映した画像である。従業員が、好みのファッションアイテムの画像の右下領域に付されたハートマークをタップすると、色が白からグレーに変わる。すなわち、ハートマーク３１１が付された画像３１０は従業員の好みではなく、ハートマーク３１２が付された画像３１０は従業員の好みであることを示している。
【００４６】
図６は、会社Ａに所属する従業員の注文情報の画面例を示す図である。図６において、会社Ａに所属する従業員が保有する従業員端末３０の（タッチパネル）ディスプレイ３００には、複数の画像３２０が表示されている。各画像３２０は、注文サーバ２０が受け付けた、会社Ａに所属する他の従業員が注文した衣類を示す画像である。画像は、衣類を撮影した静止画や、衣類を着用したモデルの動画であってもよいし、衣類のイラストであってもよい。また、衣類を説明するテキストであってもよい。従業員が、好みの衣類の画像の右下領域に付されたハートマークをタップすると、色が白からグレーに変わる。すなわち、ハートマーク３２１が付された画像３２０は従業員の好みではなく、ハートマーク３２２が付された画像３２０は従業員の好みであることを示している。
【００４７】
図７は、会社Ａに所属する従業員の注文情報の画面例を示す図である。図７の例は、衣類の注文をした従業員を示す画像３３０が、衣類を示す画像３２０に付されている点が、図６の例と異なる。ディスプレイ３００を閲覧している会社Ａの従業員が、画像３２０に示される衣類が、当該衣類を注文した（画像３３０が示す）従業員に似合うと評価して、画像３３０の傍に付されたサムズアップマークをタップすると、色が白からグレーに変わる。すなわち、サムズアップマーク３３１が付された画像３２０は、その衣類を注文した従業員に似合っているとの評価（「いいね」の評価）であり、サムズアップマーク３３２が付された画像３２０は、その衣類を注文した従業員に似合っていないという評価をしていることを示している。なお、各画像３２０について、「いいね」の評価をした従業員の数などを表示するようにしてもよい。
【００４８】
他の従業員から似合っているか否かの評価を受けることで、自身のファッションセンスに自信が持て、また、ファッションを通じて、社内コミュニケーションを円滑に図ることができるようになる。
【００４９】
図８は、推薦された衣類の画面例を示す図である。図８において、従業員端末３０の（タッチパネル）ディスプレイ３００には、複数の画像が表示されている。各画像は、衣類推薦部１３２が推薦した衣類を示す画像である。ここで、提示部１３３は、企業のファッション傾向に合った衣類ではあるが、会社Ａのドレスコードには適していない衣類については、ＮＧマーク３４３を付して従業員に提示する。従業員は、推薦された衣類のうち、購入したい衣類の画像をタップすると、画像が白からグレーに変わる。例えば、画像３４１は購入しない衣類、画像３４２は購入する衣類（注文確定）であることを示している。
【００５０】
推薦された衣類にＮＧマークを付すことで、従業員の好みには合っているが、従業員の所属する企業や職場では着用出来ない可能性があることを従業員に通知することができ、従業員に購入するか否かの判断を促すことができる。これにより、プライベートでしか着用できない衣類については購入しない、など予算に制約のある従業員にとっては、経済的な判断ができる。
【００５１】
なお、提示部１３３は、ドレスコードに適さない衣類を予め除外して従業員端末３０に提示するようにしてもよい。これにより、従業員は、プライベートでも通勤でもいつでも着用できる衣類のみを選択することができる。
【００５２】
図２に戻って、傾向推定部１３４は、企業ごとの従業員のファッション傾向を推定する。例えば、衣類推薦システム１に対する従業員の初回ログイン時に、上述の提示部１３３が、従業員に対してファッションに関するアンケートを提示する。そして、アンケートの回答を企業ごとに記憶部１２０に記憶し、アンケートの回答に基づいて、当該従業員が所属する企業のファッション傾向を推定する。
【００５３】
なお、アンケートには、従業員の好みの色やデザイン、出勤時に着用する衣類、コーディネート、ドレスコードなどを、選択肢を提示して選択させてもよいし、文字入力させてもよい。また、洋服や小物などのファッションアイテムの画像を提示して、好みの画像を選択させ、選択された画像から、ドレスコードを含むファッション傾向を推定してもよい。例えば、特定の衣類に対し、好みである従業員がいない場合は、当該従業員の所属する企業では、その特定の衣類はドレスコードに適さない（ＮＧである）と判断してもよい。
【００５４】
また、傾向推定部１３４は、従業員情報ＤＢ１２２に格納された、衣類推薦システム１における従業員の注文履歴に基づいて、当該従業員が所属する企業のファッション傾向を推定してもよい。
【００５５】
また、傾向推定部１３４は、企業に所属する従業員の姿を撮影した画像に基づいて、当該企業のファッション傾向を推定してもよい。例えば、従業員端末３０から、従業員自身の勤務時（すなわち、特定団体での活動時）の姿を撮影した画像を衣類推薦サーバ１０にアップロードさせる。そして、傾向推定部１３４は、所定の従業員数以上についてアップロードされた画像に基づいて、その従業員が所属する企業においてよく着用される服装を推定する。また、企業内でカメラを設置し、ファッション傾向を推定するために従業員を撮影するようにしてもよい。企業において撮影された画像は、衣類推薦サーバ１０にアップロードされ、服飾情報ＤＢ１２１に格納してもよい。
【００５６】
また、傾向推定部１３４は、企業から発注された注文情報に対する、評価受付部１３５（後述）が受け付けた評価に基づいて、ファッション傾向を推定してもよい。図６および図７において説明したように、他の従業員からも「いいね」の評価を受けた衣類は、よりその企業における従業員の好みを反映しており、ファッション傾向を推定する際の精度を向上させることができる。
【００５７】
評価受付部１３５は、提示部１３３が提示した衣類（図６および図７参照）に対する評価を受け付ける。例えば、図６や図７において、従業員が注文した衣類に対する「いいね」の評価、注文した従業員に対して、注文した衣類が似合うという評価を受け付ける。傾向推定部１３４は、上述したように、受け付けた評価に基づいて、ファッション傾向を推定する。
【００５８】
発送管理部１３６は、提示部１３３が提示した、推薦された衣類（図８参照）に応じて従業員によって選択された衣類（注文が確定した衣類）に基づいて、企業に発送する衣類を決定する。なお、発送管理部１３６は、衣類推薦部１３２が推薦した衣類のうち所定の数量を、企業に発送する衣類として決定してもよい。企業単位で衣類を発送するため、発送先の企業において従業員に衣類を選択させ、選択されなかった衣類については返品を受け付けるようにしても、輸送コストは従業員の自宅などに個別に配送するよりも削減することができるからである。
【００５９】
なお、注文サーバ２０は、従業員端末３０から受け付けた注文を、企業ごとに集計した注文情報を衣類推薦サーバ１０に送信するが、一般的なサーバ装置の機能で実現可能であるため、詳細な説明は省略する。
【００６０】
（従業員端末３０の機能構成）
図９は、従業員端末３０の機能構成の一例を示す機能ブロック図である。図９を参照して、従業員端末３０の機能構成について説明する。なお、本実施形態の従業員端末３０は、図９の構成要素（各部）の一部を省略した構成としてもよい。
【００６１】
従業員端末３０は、例えば、スマートフォンを含む携帯電話機や、タブレット端末や、ノート型ＰＣや、ＰＤＡ（Personal Digital Assistant）等の携帯端末である。また、従業員端末３０には、眼鏡型や時計型の情報処理端末であるウェアラブルデバイス（wearable device）も含まれる。さらに、従業員端末３０には、インターネット等に接続可能な通信機能や、位置情報を取得するための情報処理機能を有する種々のスマート機器が含まれてもよい。例えば、従業員端末３０には、自動車などのスマートビークル（Smart vehicle）などが含まれてもよい。
【００６２】
図９において、従業員端末３０は、通信部３１０と、入力部３２０と、出力部３３０と、撮影部３４０と、制御部３５０と、記憶部３６０と、を有する。
【００６３】
通信部３１０は、衣類推薦サーバ１０、注文サーバ２０等と、ネットワークＮＷを介した通信を行うための各種制御を行うものであり、その機能は、各種プロセッサ又は通信用ＡＳＩＣなどのハードウェアや、プログラムなどにより実現できる。
【００６４】
入力部３２０は、ユーザから各種操作を受け付ける入力インタフェースである。例えば、入力部３２０は、従業員端末３０に備えられた操作キーやボタン、タッチパネル、音声入力のためのマイク等によって実現される。
【００６５】
出力部３３０は、各種情報を出力するための表示装置や、スピーカであって、例えば、液晶ディスプレイやスマートスピーカ等によって実現される。なお、従業員端末３０にタッチパネルが採用される場合には、入力部３２０の一部と出力部３３０とは一体化される。例えば、衣類推薦サーバ１０から送信された、推薦された衣類に関する情報は、出力部３３０の表示装置に表示される。
【００６６】
撮影部３４０は、被写体を撮影するカメラである。例えば、撮影部３４０は、従業員端末３０を保有する従業員の勤務時や活動時の姿を撮影する。後述する制御部３５０は、撮影した画像を、通信部３１０を介して衣類推薦サーバ１０に送信するよう制御する。
【００６７】
制御部３５０は、例えば、コントローラであり、ＣＰＵやＭＰＵ等によって、従業員端末３０内部の記憶部３６０に記憶されている各種プログラムがＲＡＭを作業領域として実行されることにより実現される。また、制御部３５０は、例えば、ＡＳＩＣやＦＰＧＡ等の集積回路により実現される。
【００６８】
制御部３５０は、従業員端末３０において入力された注文や購入の指示を注文サーバ２０や衣類推薦サーバ１０に送信する処理等を制御する。例えば、制御部３５０は、従業員端末３０の衣類推薦システム１を利用するためのプログラム（例えば、スマートフォン専用アプリ）を実行制御する。プログラムは、予め従業員端末３０にインストールされていてもよいし、従業員端末３０を保有するユーザによる操作に従って衣類推薦サーバ１０（または、各種プログラムを提供する外部サーバ）からダウンロードされ、従業員端末３０にインストールされてもよい。
【００６９】
制御部３５０は、注文受付部３５１と、情報取得部３５２と、出力制御部３５３と、を有し、以下に説明する情報処理の機能や作用を、ＲＡＭを作業領域として上述したプログラムを実行することにより、実現または実行する。
【００７０】
注文受付部３５１は、入力部３２０を介して、従業員から衣類の注文を受け付ける。
【００７１】
情報取得部３５２は、通信部３１０を介して、衣類推薦サーバ１０から、従業員が所属している企業において集計された注文情報や、推薦された衣類に関する情報を取得する。また、注文サーバ２０からファッションに関するアンケートを取得する。
【００７２】
出力制御部３５３は、情報取得部３５２が取得した注文情報や推薦された衣類に関する情報（図５〜８参照）を出力部３３０に出力するよう制御する。
【００７３】
記憶部３６０は、ＣＰＵやＭＰＵ等のコントローラによって実行される各種プログラムや、撮影部３４０によって撮影された画像、制御部３５０によって取得された情報等を記憶する。制御部３５０は、記憶された画像や情報等を、所定のタイミングで衣類推薦サーバ１０に送信するようにしてもよい。
【００７４】
（衣類推薦システム１における処理の流れ）
図１０は、衣類推薦システム１の処理の流れを示すシーケンス図である。図１０を参照して、衣類推薦システム１における処理の流れを説明する。なお、図１０で示す処理は、衣類推薦システム１の処理の一例である。衣類推薦システム１の処理として、この他にも、上述した衣類推薦サーバ１０の各機能構成等の処理を組み合わせてもよい。
【００７５】
ステップＳ１０１において、従業員端末３０は、従業員の操作により、衣類推薦システム１にログインする。ログインの際、従業員は、従業員の所属する企業や、従業員番号など、企業および従業員を識別する識別情報を入力するようにしてもよい。
【００７６】
ステップＳ１０２において、従業員端末３０は、注文サーバ２０に対し、ステップＳ１０１で入力された識別情報を送信する。
【００７７】
ステップＳ１０３において、注文サーバ２０は、ログインした従業員の識別情報に基づいて、当該ログインが初回であるか否かを確認する。
【００７８】
ステップＳ１０４において、注文サーバ２０は、ステップＳ１０３において初回ログインと判断した場合は、従業員端末３０に対し、ファッションに関するアンケートを送信する。
【００７９】
ステップＳ１０５において、従業員端末３０は、送信されたアンケートをディスプレイなどに表示して従業員にアンケートを提示し、従業員からアンケートの回答を受け付ける。
【００８０】
ステップＳ１０６において、従業員端末３０は、注文サーバ２０に対しアンケートの回答を送信する。
【００８１】
ステップＳ１０７において、注文サーバ２０は、従業員端末３０から受信したアンケートの回答を衣類推薦サーバ１０に送信する。なお、注文サーバ２０は、アンケートの回答を受信する度に衣類推薦サーバ１０に送信するのではなく、所定期間に受信したアンケートの回答を送信するようにしてもよい。
【００８２】
ステップＳ１０８において、衣類推薦サーバ１０は、アンケートを回答した従業員が所属する企業に関連付けてアンケートの回答を記憶する。
【００８３】
なお、ステップＳ１０４〜Ｓ１０８において処理されたアンケートの実施は、衣類推薦システム１を利用する契約をした企業に対し、契約時に予めアンケートを実施しておいてもよい。アンケートに対する回答を回収するタイミングは、衣類推薦サーバ１０において、ファッション傾向を推定する前であれば、どのようなタイミングであってもよい。
【００８４】
ステップＳ１０９において、衣類推薦サーバ１０は、ステップＳ１０８において記憶したアンケートの回答に基づいて、企業ごとにファッション傾向を推定する。推定したファッション傾向は服飾情報として服飾情報ＤＢ１２１に企業ごとに記憶する。
【００８５】
なお、ファッション傾向の推定は、アンケートの回答の他に、従業員の注文履歴や、勤務時の姿を撮影した画像、従業員からの評価（図６および７参照）に基づいて、推定してもよい。衣類推薦サーバ１０は、これらの情報を、衣類推薦システム１を運用する過程で従業員端末３０や注文サーバ２０から定期的に取得し、ファッション傾向の推定を再度行って、服飾情報を更新する。
【００８６】
ステップＳ１１０において、従業員端末３０は、従業員からの操作により、衣類の注文を受け付ける。
【００８７】
ステップＳ１１１において、従業員端末３０は、ステップＳ１１０において受け付けた注文を注文サーバ２０に送信する。
【００８８】
ステップＳ１１２において、注文サーバ２０は、受け付けた注文を企業ごとに集計する。
【００８９】
ステップＳ１１３において、注文サーバ２０は、企業ごとに集計した注文情報を衣類推薦サーバ１０に送信する。
【００９０】
ステップＳ１１４において、衣類推薦サーバ１０は、注文情報を取得する。
【００９１】
ステップＳ１１５において、衣類推薦サーバ１０は、服飾情報ＤＢ１２１から注文情報を発注した企業の服飾情報を取得する。また、従業員情報ＤＢ１２２から衣類を注文した従業員に関する情報（好みや所属など）を取得する。そして、衣類推薦サーバ１０は、これらに基づいて、注文情報に適した衣類を推薦する。
【００９２】
ステップＳ１１６において、衣類推薦サーバ１０は、ステップＳ１１５において推薦した衣類に関する情報を、衣類の注文に対応する従業員端末３０に送信する。
【００９３】
ステップＳ１１７において、従業員端末３０は、衣類推薦サーバ１０から受信した、推薦された衣類に関する情報をディスプレイなどに表示して、従業員に提示する。例えば、図８で示したように、推薦された衣類の画像に、企業のドレスコードに適さない衣類には「ＮＧ」マークを付して提示する。または、ドレスコードに適さない衣類を除外して提示する。
【００９４】
ステップＳ１１８において、従業員端末３０は、従業員から、推薦された衣類のうち、購入する衣類の選択を受け付ける。すなわち、注文を確定させる。
【００９５】
ステップＳ１１９において、従業員端末３０は、選択された衣類に関する情報を衣類推薦サーバ１０に送信する。
【００９６】
ステップＳ１２０において、衣類推薦サーバ１０は、推薦された衣類のうち、ステップＳ１１８において従業員が選択した衣類を、発送する衣類として決定する。
【００９７】
ステップＳ１２１において、衣類推薦サーバ１０は、ステップＳ１２０において決定した衣類を、企業ごとに発送管理する。例えば、発送リストを作成し、衣類を保管する倉庫などの管理者端末に送信する。
【００９８】
以上のようにして、衣類推薦システム１における処理は終了する。
【００９９】
（ハードウェア構成図）
図１１は、衣類推薦サーバ１０のハードウェア構成を示すブロック図である。衣類推薦サーバ１０は、コンピュータ５０１に実装される。コンピュータ５０１は、ＣＰＵ５０２と、主記憶装置５０３と、補助記憶装置５０４と、インタフェース５０５と、を備える。
【０１００】
衣類推薦サーバ１０の各構成要素の動作は、プログラムの形式で補助記憶装置５０４に記憶されている。ＣＰＵ５０２は、プログラムを補助記憶装置５０４から読み出して主記憶装置５０３に展開し、当該プログラムに従って上記処理を実行する。また、ＣＰＵ５０２は、プログラムに従って、記憶領域を主記憶装置５０３に確保する。当該プログラムは、具体的には、コンピュータ５０１に、企業ごとの従業員のファッション傾向に関する服飾情報に基づいて衣類を推薦し、企業単位で推薦した衣類の発送を管理する衣類推薦プログラムである。
【０１０１】
なお、補助記憶装置５０４は、一時的でない有形の媒体の一例である。一時的でない有形の媒体の他の例としては、インタフェース５０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ５０１に配信される場合、配信を受けたコンピュータ５０１が当該プログラムを主記憶装置５０３に展開し、処理を実行してもよい。
【０１０２】
また、当該プログラムは、前述した機能の一部を実現するためのものであってもよい。さらに、当該プログラムは、前述した機能を補助記憶装置５０４に既に記憶されている他のプログラムとの組み合わせで実現するもの、いわゆる差分ファイル（差分プログラム）であってもよい。なお、図１１に示したハードウェア構成は、従業員端末３０、および広告主端末４０も同様の構成としてもよい。これらの装置における各構成要素の動作も、上述の衣類推薦サーバ１０と同様に、補助記憶装置に記憶されたプログラムに従ったＣＰＵにより実現する。
【０１０３】
（効果の説明）
上述したように、本実施形態に係る衣類推薦システムは、従業員からの衣類の注文を企業ごとに受け付け、当該企業の従業員のファッション傾向（よく着用する服装や、ドレスコードなど）に関する服飾情報に基づいて、注文に適した衣類を推薦する。そして、推薦された衣類の発送は、企業単位で行う。これにより、従業員は、自身の好みだけでなく、企業ごとのファッション傾向にも適した衣類が推薦されるため、プライベート・通勤の両方で、推薦された衣類を楽しむことができる。また、販売側は、衣類の発送を企業（職場）単位で行うため、従業員からの注文に対し個別に発送するよりも輸送コストを削減することができる。また、従業員は、日中過ごす事が多い職場に衣類が配達されるため、注文した衣類を確実に受け取ることができ、予定を調整しなければいけない煩わしさがなくなる。
【０１０４】
また、本実施形態に係る衣類推薦システムは、ファッション傾向を従業員に対するファッションに関するアンケートに基づいて、企業のファッション傾向を推定する。実際に勤務している従業員からの回答を得ているので、精度よくファッション傾向を推定することができる。
【０１０５】
また、本実施形態に係る衣類推薦システムは、従業員の注文履歴や勤務時や活動時における姿を撮影した画像に基づいて、企業のファッション傾向を推定する。アンケートに加え、他の方法によっても、従業員のファッションに関する意識や好みを判断することができるので、より精度よくファッション傾向を推定することができる。
【０１０６】
また、本実施形態に係る衣類推薦システムは、企業に属する従業員が注文した衣類の情報を当該企業に属する他の従業員に提示し、他の従業員から、その注文した衣類に対する評価を受け付ける。そして、受け付けた評価に基づいてファッション傾向を推定する。従業員が注文している衣類のうち、自分の好みであるか否かを他の従業員から評価されることで、従業員全体の衣類の好みが分かり、より精度よくファッション傾向を推定することができる。
【０１０７】
また、本実施形態に係る衣類推薦システムは、推薦された衣類についてドレスコードに関する情報（ＮＧマーク）を付して注文した従業員に提示する。推薦された衣類にＮＧマークを付すことで、従業員の好みには合っているが、従業員の所属する企業や職場では着用出来ない可能性があることを従業員に通知することができ、従業員に購入するか否かの判断を促すことができる。これにより、プライベートでしか着用できない衣類については購入しない、など予算に制約のある従業員にとっては、経済的な判断ができる。
【０１０８】
また、本実施形態に係る衣類推薦システムは、ドレスコードに適さない衣類を予め除外して従業員に提示してもよい。これにより、従業員は、プライベートでも通勤でもいつでも着用できる衣類のみを選択することができる。
【０１０９】
＜実施形態の変形例＞
上述の実施形態では、特定団体の構成員からのファッション製品に関する注文等の入力情報を受け付け、当該特定団体の構成員のファッション傾向に関するファッション情報に基づいて、入力情報に適したファッション製品を推薦した。変形例として、特定団体の構成員は、ファッション製品に関する問い合せ、検索、照会（閲覧）、ＳＮＳなどへの投稿等の入力を行ってもよい。すなわち、ファッション推薦サーバは、特定団体の構成員から、例えば、構成員が興味のあるファッション製品について検索キーワード等の入力情報を取得し、当該特定団体のファッション情報に基づいて、入力情報に応じたファッション製品を推薦してもよい。これにより、特定団体の構成員は、推薦されたファッション製品を参考にして、自身がよく立ち寄る店舗や、Ｗｅｂサイト等で、選択に迷うことなく購入することができる。
【０１１０】
本実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１１１】
１  衣類推薦システム、１０  衣類推薦サーバ、２０  注文サーバ、３０  従業員端末、１１０，３１０  通信部、１２０，３６０  記憶部、１２１  服飾情報ＤＢ、１２２  従業員情報ＤＢ、１３０，３５０  制御部、１３１  注文情報取得部、１３２  衣類推薦部、１３３  提示部、１３４  傾向推定部、１３５  評価受付部、１３６  発送管理部、３２０  入力部、３３０  出力部、３４０  撮影部、３５１  注文受付部、３５２  情報取得部、３５３  出力制御部、５０１  コンピュータ、５０２  ＣＰＵ、５０３  主記憶装置、５０４  補助記憶装置、５０５  インタフェース
【図１】
2020181278.tif 000003
【図２】
2020181278.tif 000004
【図３】
2020181278.tif 000005
【図４】
2020181278.tif 000006
【図５】
2020181278.tif 000007
【図６】
2020181278.tif 000008
【図７】
2020181278.tif 000009
【図８】
2020181278.tif 000010
【図９】
2020181278.tif 000011
【図１０】
2020181278.tif 000012
【図１１】
2020181278.tif 000013